(57)【要約】【課題】ユーザが使用する所定の空間への出入り口として機能するエントランス部において、ユーザ同士の動線干渉を極力抑え、ユーザの利便性を向上させる。【解決手段】ユーザが外部からユーザ空間へ入室するために、エントランス構造体に入る第一入口部５と、ユーザがユーザ空間から外部へ退室するために、エントランス構造体に入る第二入口部６と、入室する入室ユーザの第一入口部からの動線が突き当たる部位に設けられる入室用表示装置１１０と、ユーザ空間から退室する退室ユーザの第二入口部からの動線が突き当たる部位に設けらる退室用表示装置１２０と、を備え、入室用表示装置と退室用表示装置のそれぞれは、柱状体と横梁体とで構成される構造壁に設置され、且つ入室ユーザが該入室用表示装置に対向するための第一所定位置Ｒ１が、退室ユーザが該退室用表示装置に対向するための第二所定位置Ｒ２と干渉しないように設定される。【選択図】図１６
2009167756.tif 000002
【特許請求の範囲】
【請求項１】
床から上方に延びる一又は複数の柱状体と該床に水平方向に延びる一又は複数の横梁体とが互いに連結されることで、または該横梁体同士が互いに連結されることで、任意の空間を形成可能な空間構造体であって、所定のユーザ空間と連結され且つ該ユーザ空間のエントランスとして機能するエントランス構造体であって、
前記柱状体と前記横梁体とで構成され、ユーザが外部から前記ユーザ空間へ入室するために、前記エントランス構造体に入る第一入口部と、
前記柱状体と前記横梁体とで構成され、ユーザが前記ユーザ空間から外部へ退室するために、前記エントランス構造体に入る第二入口部と、
前記エントランス構造体のうち前記ユーザ空間に入室する入室ユーザの、前記第一入口部からの動線が突き当たる部位に設けられ、該入室ユーザへの連絡情報を表示する入室用表示装置と、
前記エントランス構造体のうち前記ユーザ空間から退室する退室ユーザの、前記第二入口部からの動線が突き当たる部位に設けられ、該退室ユーザへの連絡情報を表示する退室用表示装置と、を備え、
前記入室用表示装置と前記退室用表示装置のそれぞれは、前記柱状体と前記横梁体とで構成される構造壁に設置され、且つ前記入室ユーザが該入室用表示装置に対向するための第一所定位置が、前記退室ユーザが該退室用表示装置に対向するための第二所定位置と干渉しないように設定される、
エントランス構造体。
【請求項２】
前記入室ユーザが前記第一入口部から前記入室用表示装置まで至る第一動線と、前記退室ユーザが前記第二入口部から前記退室用表示装置まで至る第二動線とは交差しない、
請求項１に記載のエントランス構造体。
【請求項３】
前記入室ユーザは、前記第二入口部から前記ユーザ空間に入室し、
前記退室ユーザは、前記第一入口部から外部へ退室する、
請求項１又は請求項２に記載のエントランス構造体。
【請求項４】
前記入室ユーザの前記第一所定位置から前記第二入口部へ至る第三動線と、前記退室ユーザが前記第二所定位置から前記第一入口部へ至る第四動線とは交差せず、且つ該入室ユーザと該退室ユーザの動作が干渉しない程度に離れている、
請求項３に記載のエントランス構造体。
【請求項５】
前記第一動線、前記第二動線、前記第三動線、前記第四動線の何れもが互いに交差しない、
請求項４に記載のエントランス構造体。
【請求項６】
前記第一入口部と前記第二入口部の少なくとも一方は、前記柱状体と前記横梁体によって二カ所以上設けられ、且つ該第一入口部と該第二入口部のそれぞれの数に対応して前記入室用表示装置又は前記退室用表示装置が設けられる、
請求項１から請求項５の何れかに記載のエントランス構造体。
【発明の詳細な説明】
【技術分野】
【０００１】
本発明は、ユーザが様々な目的で使用するユーザ空間とその外部とを結ぶ構造体であって、ユーザが入退室を行うためのエントランス部であるエントランス構造体に関する。
【背景技術】
【０００２】
建物の中などの限られた広さの空間においてユーザが活動をする場合、そこにはそのユーザの動線が形成されることになる。そして、その動線が一局に集中してしまう場合は、そこでユーザの動きが停滞する可能性が高くなることを意味し、場合によってユーザの快適な空間の使用を阻害してしまう虞がある。例えば、住居の中でユーザが多く使用するトイレや台所等の配置が偏ってしまうと、その住居内に生活する複数のユーザが、トイレや台所に移動する際に他のユーザと干渉しやすくなる。
【０００３】
そこで、住居におけるユーザの利便性とその住居の機能性との両立を図るために、特許文献１に記載の技術が公開されている。特許文献１によると、従来では方形の建物の場合、中央に廊下を配置させるため個々の部屋のつながりがなかったが、特許文献１記載の技術では、建物の中央に入れ子和室を設け、この入れ子和室の周囲を広縁で囲み、この広縁に沿って部屋につながりを持たせることで、ユーザの利便性を確保しようとしている。
【特許文献１】特開平１１−３６６２０号公報
【発明の開示】
【発明が解決しようとする課題】
【０００４】
ユーザの業務用や住居用等の様々の目的で所定の区切られた空間を使用する場合、当然のことではあるがその使用空間にユーザが出入りするために、エントランス部が設けられるのが通常である。例えば、住居においては該エントランス部が玄関であったり、オフィスビル等においては該エントランスが受付コーナーであったりする。このように所定の区切られた空間に対するエントランス部は、いわばその空間に入り、又はそこから退出するユーザを管理する重要な機能を果たしている。
【０００５】
しかし、従来からエントランス部はユーザがあくまでも出入りするための一つの空間としてしか認識されておらず、その場におけるユーザの利便性を追求した技術は開示されていない。一般に、エントランス部は、室内に入るユーザと退室するユーザとが重複して存在し得る場所であるため、どうしても両者の動線が干渉しやすい場所とも言える。
【０００６】
本発明では、上記した問題に鑑み、ユーザが使用する所定の空間への出入り口として機能するエントランス部において、ユーザ同士の動線干渉を極力抑え、ユーザの利便性を向上させるエントランス構造体を提供することを目的とする。
【課題を解決するための手段】
【０００７】
上記課題を解決するために、本発明では、入室するユーザの動線と退室するユーザの動線が干渉するのを極力避けることで、ユーザの利便性を確保することとした。そして、このとき、両ユーザの動線をコントロールするために、それぞれのユーザに対して所定の連絡情報を表示する表示装置を設けることとした。
【０００８】
詳細には、本発明は、床から上方に延びる一又は複数の柱状体と該床に水平方向に延びる一又は複数の横梁体とが互いに連結されることで、または該横梁体同士が互いに連結されることで、任意の空間を形成可能な空間構造体であって、所定のユーザ空間と連結され且つ該ユーザ空間のエントランスとして機能するエントランス構造体であって、前記柱状
体と前記横梁体とで構成され、ユーザが外部から前記ユーザ空間へ入室するために、前記エントランス構造体に入る第一入口部と、前記柱状体と前記横梁体とで構成され、ユーザが前記ユーザ空間から外部へ退室するために、前記エントランス構造体に入る第二入口部と、前記エントランス構造体のうち前記ユーザ空間に入室する入室ユーザの、前記第一入口部からの動線が突き当たる部位に設けられ、該入室ユーザへの連絡情報を表示する入室用表示装置と、前記エントランス構造体のうち前記ユーザ空間から退室する退室ユーザの、前記第二入口部からの動線が突き当たる部位に設けられ、該退室ユーザへの連絡情報を表示する退室用表示装置と、を備え、前記入室用表示装置と前記退室用表示装置のそれぞれは、前記柱状体と前記横梁体とで構成される構造壁に設置され、且つ前記入室ユーザが該入室用表示装置に対向するための第一所定位置が、前記退室ユーザが該退室用表示装置に対向するための第二所定位置と干渉しないように設定される。
【０００９】
上記エントランス構造体は、床から上方に延びる一又は複数の柱状体と該床に水平方向に延びる一又は複数の横梁体とが互いに連結されることで、または該横梁体同士が互いに連結されることで、ユーザ空間のエントランスとしての機能を発揮する構造体である。このように柱状体と横梁体とを組合せることで、任意の空間としてのエントランスを形成可能である。しかし、エントランスはユーザ空間に出入りするユーザが通過しなければならない空間であり、従って必然的に出入りするユーザの集中が生じやすくなる場所でもある。ユーザの集中が生じると、特に入室するユーザと退室するユーザとの干渉が生まれて、ユーザ空間を利用するユーザの利便性が阻害される可能性がある。
【００１０】
そこで、上記エントランス構造体においては、第一入口部からエントランス構造体に入ってユーザ空間に入室しようとする入室ユーザと、第二入口部からエントランス構造体に入ってユーザ空間から退室しようとする退室ユーザとの動線を明確に区別するとともに、それぞれの動線に対応する箇所に、入室用表示装置と退室用表示装置とをそれぞれ設けることとした。これらの表示装置は、ユーザに対して所定の連絡情報を表示することにより、各ユーザの注意を喚起し、以て各入口部からエントランス構造体に入ったユーザを、それぞれの表示装置の内容にアクセスできる位置、即ち上記第一所定位置および第二所定位置に導くことが可能である。そして、この第一所定位置と第二所定位置は、入室ユーザと退室ユーザとが互いに干渉しない相対位置、即ち、入室ユーザと退室ユーザとがたとえ同時にエントランス構造体に入ってきたとしても、それぞれが対応する表示装置で連絡情報にアクセスしようとするときに、互いが相手の動作を阻害しないことが可能な相対位置に設定される。
【００１１】
以上により、本発明に係るエントランス構造体においては、入室用表示装置と退室用表示装置とが存在することにより、ユーザの入退室のための動線が円滑にコントロールされることになる。その結果、自然とユーザ同士の干渉が回避されて、以てユーザ空間を利用するユーザの利便性を確保することが可能となる。また、柱状体と横梁体とで構成される構造壁に入室用表示装置と退室用表示装置とが設けられるため、各表示装置の設置場所を適宜調整することが可能である。従って、ユーザの利便性を求めて各表示装置の配置を改良することが容易であり、また予めユーザ空間を訪れるユーザの規模が分かっている場合には、その規模に応じた入室用表示装置と退室用表示装置の設置が可能となる。
【００１２】
ここで上記エントランス構造体において、前記入室ユーザが前記第一入口部から前記入室用表示装置まで至る第一動線と、前記退室ユーザが前記第二入口部から前記退室用表示装置まで至る第二動線とは交差しないようにしてもよい。このようにすることで、第一所定位置と第二所定位置との相対位置関係が非干渉の関係となることに加えて、各所定位置へ至るユーザの動線同士も非干渉の関係となるので、エントランス構造体での入室ユーザと退室ユーザの動きが互いに相手を阻害する可能性がより小さくなり、ユーザの利便性に資する。
【００１３】
また、上述までのエントランス構造体において、前記入室ユーザは、前記第二入口部から前記ユーザ空間に入室し、前記退室ユーザは、前記第一入口部から外部へ退室するようにしてもよい。即ち、エントランス構造体においては、ユーザはユーザ空間の利用に当たり、第一入口部から第二入口部への動きと、第二入口部から第一入口部への動きを行うことになる。尚、ユーザのユーザ空間の利用に当たっては、上記第一入口部と第二入口部の他にもユーザの移動を可能とする入口部がエントランス構造体に備えられていてもよい。
【００１４】
そして、上記エントランス構造体において、前記入室ユーザの前記第一所定位置から前記第二入口部へ至る第三動線と、前記退室ユーザが前記第二所定位置から前記第一入口部へ至る第四動線とは交差せず、且つ該入室ユーザと該退室ユーザの動作が干渉しない程度に離れていてもよい。このように第三動線と第四動線が互いに干渉しない状態にあることにより、入室用表示装置と退室用表示装置で連絡情報にアクセスした入室ユーザと退室ユーザのその後の動きが、互いに相手の動きを阻害する可能性がより小さくなり、ユーザの利便性に資する。そして、より好ましくは、前記第一動線、前記第二動線、前記第三動線、前記第四動線の何れもが互いに交差しない。その結果、ユーザ空間に入室するための又はユーザ空間から退室するためのエントランス構造体での一連の動きが、互いに相手の動きを阻害する可能性が極めて小さくなり、以てユーザの利便性がより向上することになる。
【００１５】
上述までの、エントランス構造体において、前記第一入口部と前記第二入口部の少なくとも一方は、前記柱状体と前記横梁体によって二カ所以上設けられ、且つ該第一入口部と該第二入口部のそれぞれの数に対応して前記入室用表示装置又は前記退室用表示装置が設けられるようにしてもよい。このように、ユーザ空間を利用するユーザ数の規模等に応じて、第一入口部および第二入口部の数、及びそれに対応する入室用表示装置と退室用表示装置の数を適宜調整してもよい。尚、本発明に係るエントランス構造体は、上記の通り柱状体と横梁体との組合せによって形成されるため、このような入口部や表示装置の設置、変更は簡便に行うことができる。また、これらの設置、変更は、一時的に行うようなものでもよく、またユーザの利便性を追及する等して随時行うようにしてもよい。
【発明の効果】
【００１６】
ユーザが使用する所定の空間への出入り口として機能するエントランス部において、ユーザ同士の動線干渉を極力抑え、ユーザの利便性を向上させるエントランス構造体を提供することが可能となる。
【発明を実施するための最良の形態】
【００１７】
本発明に係るエントランス構造体の詳細について、図面に基づいて説明する。
＜実施例１＞
図１および図２に示すエントランス構造体１００は、ユーザが所定の目的で利用する空間であるユーザ空間３００と、その外部の空間（以下、単に「外部」という）２００とを連結し、いわゆるエントランスとして機能する空間を形成する構造体である。従って、ユーザ空間３００を利用するユーザは、このエントランス構造体１００の内部を通って、ユーザ空間３００に入室するための、又はそこから退室するための行動を採ることになる。尚、本出願において、ユーザ空間３００に入室しようとするユーザを「入室ユーザ」と称し、該ユーザ空間３００から退室しようとするユーザを「退室ユーザ」と称する。
【００１８】
ここで、エントランス構造体１００の構成について、図１および図２に基づいて説明する。図１は、エントランス構造体１００を外部２００側から俯瞰したときのその概略構成を示し、図２は、エントランス構造体１００をユーザ空間３００側から俯瞰したときのその概略構成を示す。尚、外部２００とユーザ空間３００とは壁２５０で区切られており、
両図においては、この壁２５０を透明に表示してエントランス構造体１００の構成が明瞭となるように記載した。
【００１９】
エントランス構造体１００は、主に、柱状体である複数のポール２と、横梁体である複数のビーム３、ビーム４との組合せで構成されている。ポール２は床面から鉛直上方に延びてエントランス構造体１００を支えるものであり、ビーム３、ビーム４は床面に水平に延びポール同士またはビーム同士を結ぶ。尚、ポール２およびビーム３、４の詳細な構造については、後述する。
【００２０】
具体的には、図１に示す空間構造体１は矩形体を為しており、その基本的構成としてその四隅および、補強や所定の構造物の取り付け等を目的として各ビームの途中部にポール２が取り付けられる。言い換えると、これらのポール２の頂部が二本のビーム３と二本のビーム４で連結されている。また、隣接するポールと各ビームで画定される平面には、エントランス構造体１００の内部空間をその外の空間（ユーザ空間３００等）と明確に区切るためにパネル８が嵌めこまれている。これらのポール２やビーム３、４の連結は任意に行うことができ、以てエントランス構造体１００の形成は用途に応じた形状や大きさとすることが可能である。
【００２１】
ここで、エントランス構造体１００においては、外部２００とエントランス構造体１００内部とをつなぐ入口部５と、ユーザ空間３００とエントランス構造体１００内部とをつなぐ入口部６とが、図１、２に示すように、二本のポール２とそれと連結されるビーム３によって形成される。尚、図２に示すように、入口部６においてはドア７も設置されている。従って、入室ユーザは、先ず入口部５からエントランス構造体１００内に入り、その後入口部６からユーザ空間３００に入室する。また、退室ユーザは、先ず入口部６からエントランス構造体１００内に入り、その後入口部５を通ってユーザ空間３００から外部２００へ退室することになる。
【００２２】
ここで、図１に示すように、エントランス構造体１００においては、入口部５から該エントランス構造体１００内に入ってくる入室ユーザの正面の位置に、換言すると入室ユーザのエントランス構造体１００内へ入る動作の動線が該構造体壁面に突き当たる場所に、その入室ユーザに連絡情報を表示する表示装置である入室用表示装置１１０が設置されている。この入室用表示装置１１０は、当該連絡情報を表示するための二台のディスプレイ１１１と、入室ユーザが入室手続きをするための名刺読取装置１１２およびそのディスプレイ１１３を含むものである。この入室用表示装置１１０の連絡情報の表示の一例としては、一方のディスプレイ１１１には歓迎のコメントが表示され、もう一方のディスプレイ１１１には入室ユーザが名刺読取装置１１２での手続きを行うように促すコメントが表示される。そして、名刺読取装置１１２は、従来技術によるものであり、具体的にはユーザから差し出された名刺を画像認識することによって、ユーザの名前や所属会社等を判断する。そして、その判断された情報を基に、予め記録されているアポイント情報と照合し、入室ユーザがどのような目的でユーザ空間３００を訪問しようとしているかを判断し、それに応じたコメントをディスプレイ１１３に表示する。入室ユーザは、その表示されたコメントに従って、ユーザ空間３００に入室することになる。
【００２３】
次に、図２に示すように、エントランス構造体１００においては、入口部６から該エントランス構造体１００内に入ってくる退室ユーザの正面の位置に、換言すると退室ユーザのエントランス構造体１００内へ入る動作の動線が該構造体壁面に突き当たる場所に、その退室ユーザに連絡情報を表示する表示装置である退室用表示装置１２０が設置されている。この退室用表示装置１２０は、当該連絡情報を表示するための三台のディスプレイ１２１を含むものである。この退室用表示装置１２０の連絡情報の表示の一例としては、ユーザ空間３００で所用を済ませた退室ユーザに対する慰労のコメントを表示したり、タッ
チパネル式の画面を備えることで退室ユーザが帰途に着くためのタクシー等の交通手段の手配や交通情報の取得のための連絡情報が表示されたりする。
【００２４】
また、エントランス構造体１００の外壁に沿って、ユーザ空間３００に位置するユーザに対して、様々な情報を表示するユーザ空間用表示装置１３０が設置されている。そこで表示される情報は、上述のようにエントランス構造体１００を通るユーザに対する情報ではなく、ユーザ空間３００において所用を行っているユーザに有用な情報である。尚、このユーザ空間用表示装置１３０の背面側に上記入室用表示装置１１０が設置されているため、図２においては、入室用表示装置１１０が隠れて明示されていない。
【００２５】
ここで、エントランス構造体１００の各構成要素であるポール２、ビーム３、４およびそれらの連結構造について、図３〜図１７に基づいて説明する。先ず、ポール２の説明を図３および図４に基づいて行う。図３はポール２の外観図であり、図４はポール２の断面図である。ポール２は、その断面において均等に四分割された形状を有する。中心部２０から四方に放射状に隔壁２１が伸び、ポール２の断面における正方形の頂点Ｐを形成する。そして、一の頂点Ｐから隣接する頂点Ｐに向かって、壁面２２が延びている。一の頂点Ｐから延びる壁面２２と、それに隣接する他の頂点Ｐから延びる壁面２２は、両頂点Ｐの中間手前まで延びており、両者は接触しない。従って、対向する壁面２２、２２（以下、「一対の壁面２２」と称する。）との間には、開口部２３が形成される。また、一対の壁面２２と隔壁２１と中心部２０とによって、溝部２４が形成される。これらの開口部２３および溝部２４は、図３に示すように、ポール２の軸心方向にその全長にわたって延びている。
【００２６】
更に、ポール２の断面の各頂点Ｐにおいて、各頂点Ｐからポール２の外方向に延出し、該頂点Ｐにつながる二つの壁面２２にそれぞれ直交する二つの外壁面２５が設けられている。その結果、一の頂点Ｐから延出する外壁面２５と、それに隣接する他の頂点Ｐから延出する外壁面２５は対向する。そして、この対向する外壁面２５と、これらとつながる一対の壁面２２とによって、ポール２の表面上に半閉空間である配線用溝部２６が形成される。この配線用溝部２６には、エントランス構造体１００で使用される情報機器の電源ケーブルや信号ケーブルを収納することが可能である。また、配線用溝部２６にケーブルを収納すると外観のデザイン性が低下するため、図４に示すワイヤリングカバーを配線用溝部２６を覆うように設けてもよい。
【００２７】
次に、ビーム３の説明を図５および図６に基づいて行う。尚、ビーム４はビーム３の長さが短くなったものであるから、その詳細な構造の説明はビーム３の説明に替える。図５はビーム３の外観図であり、図６はビーム３の断面図である。ビーム３の断面形状は、ポール２の断面形状とほぼ同一である。ビーム３の中心部３０、隔壁３１、壁面３２（一対の壁面３２）、開口部３３、溝部３４、頂点Ｑは、ポール２の中心部２０、隔壁２１、壁面２２（一対の壁面２２）、開口部２３、溝部２４、頂点Ｐにそれぞれ対応するので、これらの詳細な説明は省略する。
【００２８】
ビーム３においては、エントランス構造体１００で使用される情報機器の電源ケーブルや信号ケーブルを収納するための配線用溝部の構成が、ポール２の場合と異なる。ビーム３では、図６に示すように、鉛直上方向および鉛直下方向の二方向にのみ配線用溝部３６、３８が形成される。ここで、鉛直上方向の配線用溝部３６を構成する外壁面３５の高さ（頂点Ｑからの外壁面３５の高さ）は、鉛直下方向の配線用溝部３８を構成する外壁面３７の高さ（頂点Ｑからの外壁面３７の高さ）よりも高く設計されている。これは、ビーム３がエントランス構造体１００に組み込まれるとき、配線用溝部３６は鉛直上方向に開口するのでより多くのケーブルを収納すること可能となることが好ましいからである。もちろん、鉛直下方向の配線用溝部３８にもケーブルを収納することは可能であるが、外観の
デザイン性が低下するため、その場合図６に示すワイヤリングカバーを配線用溝部３８を覆うように設けてもよい。尚、ビーム３の水平方向の表面には、外壁面３５、３７に相当する壁面は設けられず、配線用溝部は存在しない。
【００２９】
ここで、エントランス構造体１００を構成するポール２、ビーム３、ビーム４の連結について説明する。先ず、エントランス構造体１００の各コーナー部における各要素の連結について、図７、８、９に基づいて説明する。図７は、エントランス構造体１００におけるコーナー部におけるビーム３、４とポール２の連結の様子を示す図である。図８、９は、ポール２とビーム３との連結の詳細を示す図である。
【００３０】
このコーナー部におけるポール２とビーム３の連結は、ジョイント１０を介して行われる。ジョイント１０は、ポール２に設置されるときその上端面と接触する設置面１０ａを有しており、この設置面１０ａの中央には貫通孔１０ｄが設けられている。この貫通孔１０ｄは、設置面１０ａがポール２の上端面に設置されると、ポール２の中央部２０に設けられたネジ孔に対応する位置をとる。そして、図７に示すようにネジによってジョイント１０をポール２に連結する。
【００３１】
更に、ジョイント１０は、ビーム３に設置されるときその端面と接触する設置面１０ｂを有しており、この設置面１０ｂの中央には貫通孔１０ｅが設けられている。この貫通孔１０ｅは、設置面１０ｂがビーム３の端面に接触すると、ビーム３の中央部３０に設けられたネジ孔に対応する位置をとる。そして、図７に示すようにネジによってジョイント１０をビーム３に連結する。更に、設置面１０ｂがビーム３の端面に接触するときに、ビーム３の配線用溝部３８の端部に嵌まり込むビームガイド部１０ｃが、ジョイント１０に設けられている。図７に示すように、ビームガイド部１０ｃが配線用溝部３８に嵌まり込むことで、ビーム３をジョイント１０に連結するときの作業が容易となる。この設置面１０ｂ、ビームガイド部１０ｃ、貫通孔１０ｅは、ポール２の形状に従って、ジョイント１０に４箇所設けられている。
【００３２】
尚、ジョイント１０をポール２にネジで連結する場合は、図８に示すようにジョイント１０の上部の開口部からネジを挿入し、連結作業を行う。また、ジョイント１０をビーム３にネジで連結する場合もジョイント１０の上部の開口部からネジを挿入し、連結作業を行うか、また連結に使用する貫通孔１０ｅに対向する位置にある貫通孔１０ｅを利用してもよい。
【００３３】
このようにジョイント１０を介して、ポール２、ビーム３を連結させた後、図７に示すようにジョイント１０の上部の開口部に、アジャスタサポート１２で蓋をする。このアジャスタサポート１２には内ネジが切られた筒部が設けられ、該筒部を覆うアジャスタカバー１３と、筒部に螺合されるネジ部を有するアジャスタ１４が設けられる。このアジャスタ１４は、エントランス構造体１００が置かれるオフィス等の天井との距離を調整するためのものである。
【００３４】
次に、エントランス構造体１００におけるビーム３又はビーム４に対してその途中にポール２を連結する方法について、図１０〜図１５に基づいて説明する。図１０は、ビーム３とポール２の連結の様子を示す図である。図１１〜図１５は、ビーム３とポール２の連結に使用されるジョイントおよびスライド連結装置の構成を示す図である。
【００３５】
図１０に示すように、ビーム３とポール２の連結は、ジョイント７０、スライド連結装置７１を介して行われる。ここで、ジョイント７０は、図１０に示すようにポール２の端部に接続されるジョイントである。図１１に、ジョイント７０の詳細な構造を示す。ジョイント７０は、ポール２に設置されるときその端面と接触する設置面７０ａを有しており
、この設置面７０ａはジョイント７０の下部のベース部７０ｂを構成する。このベース部７０ｂには、設置面７０ａまで貫通する貫通孔（図示せず）が設けられている。更に、ジョイント７０には、この設置面７０ａを有するベース部７０ｂ上に、中央部が開口し該開口部を挟んでそれぞれに貫通孔７０ｃを有する支持部７０ｄが設けられている。尚、この開口部を経て、上記のベース部７０ｂに設けられた貫通孔にアクセスが可能であり、更にこの貫通孔は、設置面７０ａがポール２の端面に設置されると、ポール２の中央部２０に設けられたネジ孔に対応する位置をとる。そこで、ネジによってジョイント７０をポール２に連結することが可能である。
【００３６】
また、ジョイント７０の支持部７０ｄに設けられた貫通孔７０ｃは、スライド連結装置７１に設けられたネジ孔（左右両端の二個のネジ孔）に対応し、これらを介してネジによりジョイント７０とスライド連結装置７１は連結される。また、スライド連結装置７１がジョイント７０に対して比較的小さくなる場合は、一つのジョイント７０に対して二つのスライド連結装置７１を連結させてもよい。
【００３７】
ここで、以下にスライド連結装置７１の詳細を説明する。スライド連結装置７１は、図１２に示す付勢部材７２と図１３に示すベース部材７３とで構成される。この二つは、完全に別個の部材である。付勢部材７２は、輪郭形状を有する付勢部７２ａと、付勢部７２ａから一の方向に突出した突起部７２ｂと、突起部７２ｂとは反対の方向に付勢部７２ａから突出した突起部７２ｃから構成される。付勢部７２ａは、突起部７２ｂと突起部７２ｃが設けられた各点を結ぶ線に対して線対称に形成される。具体的な付勢部７２ａの形状は、各突起部近傍（図中Ｒ１で示される領域）では線対称の中心線に若干沿う形状であり、更に付勢部７２ａの中央に近づくと（図中Ｒ２で示される領域）線対称の中心線から離れるように円弧形状をとり、付勢部７２ａの中央近傍（図中Ｒ３で示される領域）では線対称の中心線にほぼ平行な形状となる。付勢部７２ａがこのような形状を採ることで、Ｒ１で示される領域の付勢部を軸として、Ｒ３で示される領域の付勢部が図面に垂直な方向に撓みやすくなり、そのたわみによって付勢部７２ａが図面に垂直な方向に付勢力を発揮することが可能となる。また突起部７２ｃは、概ね円柱状の突起形状を有しており、突起部７２ｂは、突起部７２ｃより若干の横幅を有する形状である。尚、この横幅は、ポール２やビーム３の開口部２３、３３の幅より若干小さい。
【００３８】
ベース部材７３は、図１３に示すようにベース部７３ａの中央にネジ孔７３ｂが３個設けられる。更に、ベース部７３ａの一端面側に段付き部７３ｃが、ベース部７３ａの長手方向に沿って設けられている。尚、この段付き部７３ｃの幅（図面上下方向の幅）は、ポール２やビーム３の開口部２３、３３の幅より若干小さい。
【００３９】
上述した付勢部材７２およびベース部材７３の、ポール２やビーム３の溝部２４、３４内におけるスライド連結装置７１としての機能の発揮について図１４に基づいて説明する。図１４に示すのは、ビーム３内におけるスライド連結装置７１の様子である。ビーム３の溝部３４は、上述したように中心部３０から延びる隔壁３１と壁面３２のそれぞれの内壁面によって形成され、その断面形状は略六角形である。ここで、図１４に示すように、溝部３４の断面における略六角形の頂点をＳ１〜Ｓ６と称するとともに、開口部３３を構成する頂点をＴ１、Ｔ２と称する。
【００４０】
まず、図１４（ａ）に示すように、溝部３４に対して付勢部材７２を開口部３３から滑り込ませる。このとき突起部７２ｃが溝部３４の奥部（頂点Ｓ３、Ｓ４の近傍）に位置し、突起部７２ｂが開口部３３の近傍（頂点Ｔ１、Ｔ２の間）に位置する。また、付勢部７２ａの領域Ｒ３に位置する部分は、溝部３４の頂点Ｓ１、Ｓ２間および頂点Ｓ５、Ｓ６間の内壁面近傍に位置する。このとき、付勢部７２ａと該内壁面との間には僅かな間隙が存在するため、付勢部７２ａは撓んだ状態とはなっていない。
【００４１】
図１４（ａ）に示す状態では、突起部７２ｂを介して付勢部材７２をビーム３の溝部３４内を自在に移動させることが可能である。溝部３４の任意の位置に付勢部材７２を移動させた後、図１４（ｂ）に示すように溝部３４内にベース部材７３を挿入させる。このとき、ベース部材７３は、付勢部材７２の付勢部７２ａの突起部７２ｂが突出している側の面上に、ベース部材７３の段付き部７３ｃが設けられていない面が接触し、該段付き部７３ｃが開口部３３に位置する。
【００４２】
図１４（ｂ）に示す状態においては、付勢部材７２の付勢部７２ａはベース部材７３によって溝部３４の奥部に押し込まれるため、付勢部７２ａの領域Ｒ３に位置する部分は、隔壁３１によって形成される内壁面（頂点Ｓ２、Ｓ３間、および頂点Ｓ４、Ｓ５間）に接触することになる。この内壁面は、溝部３４の奥部に進むに従い、幅が狭くなる。そのため、図１４（ｂ）に示す状態では、付勢部材７２の付勢部７２ａは上述したように撓み、その撓みに起因してベース部材７３に対して、それを開口部３３近くの壁面３２に押し付ける付勢力を発生させる。その結果、付勢部材７２とベース部材７３とから構成されるスライド連結装置７１は、ビーム３内の任意の位置に固定される。
【００４３】
そして、ビーム３内に固定されたスライド連結装置７１のネジ孔７３ｂに対して、ジョイント７０の支持部７０ｄに設けられた貫通孔７０を挟んで、ネジで該ジョイント７０が連結されたポール２を連結することで、図１、２に示すエントランス構造体１００のようにビーム３の任意の位置にポール２を設置することが可能となる。
【００４４】
ここで、エントランス構造体１００においては、ポール２の位置を変更することで、エントランス構造体１００の大きさを変えるだけでなく、入口部５、６の位置や、入室用表示装置１１０、退室用表示装置等の設置場所を自由に変更することが可能となる。そして、このポール２の位置変更は、図１５に示すようにスライド連結装置７１によって容易に実行できる。そこで、一度任意の位置に固定されたスライド連結装置７１に対して、その固定位置を変更する際の様子について、図１５に基づいて説明する。
【００４５】
先ず、図１５（ａ）に示すように、付勢部材７２に付勢力が与えられているベース部材７３を、矢印の方向に、完全に付勢部材７２から付勢力が与えられない位置までずらす。このとき、溝部３４を断面方向から見ると、図１５（ｂ）に示すとおりである。付勢部材７２は、ベース部材７３が外されたことで、図１５（ｂ）に示す状態となる。このとき、ベース部材７３は、溝部３４内において、付勢部材７２が存在する空間以外の空間に存在することになる。
【００４６】
しかし、図１５（ｂ）に示すように、ベース部材７３は、溝部３４内において付勢部材７２の突起部７２ｃに干渉する状態となる。このことは、ベース部材７３が、付勢部材７２による付勢力から解放された状態となっても、溝部３４内において自在に移動可能ではなく、付勢部材７２によってその移動が制限されることを意味する。これにより、ベース部材７３が付勢部材７２から不用意に外れてしまうことを回避し、スライド連結装置７１の固定位置の変更が安全に行うことができる。
【００４７】
尚、ベース部材７３を付勢部材７２による付勢力から解放した後は、ベース部材７３を開口部３３から取り外し、付勢部材７２を新たな位置に移動させた後に改めてベース部材７３を溝部２４、３４内に挿入することで、スライド連結装置７１の固定を行える。この結果、ポール２のビーム３又はビーム４の固定位置を自由に調整でき、以てよりユーザの利便性の高いエントランス構造体１００を形成することが可能となる。
【００４８】
ここで、図１、２に示すエントランス構造体１００での入室ユーザと退室ユーザの動線
に着目しながら、該エントランス構造体１００の構成について図１６に基づいて詳細に説明する。図１６は、図１、２に示すエントランス構造体１００を模式的に示す図である。改めてエントランス構造体１００における各入口部と表示装置の配置関係を説明する。エントランス構造体の外部２００側に入口部５が設けられ、その対向する該構造体の壁面に入室用表示装置１１０が設けられている。また、その入室用表示装置１１０の隣側であってユーザ空間３００側に入口部６が設けられ、その対向する該構造体の壁面に退室用表示装置１２０が設けられている。
【００４９】
ここで、入室用表示装置１１０には入室ユーザがアクセスすべき様々な情報が表示されるので、入室用表示装置１１０前の所定の位置Ｒ１は、そのアクセスのために入室ユーザが位置すべき場所として設定される。一方で、退室用表示装置１２０には退室ユーザがアクセスすべき様々な情報が表示されるので、退室用表示装置１２０前の所定の位置Ｒ２は、そのアクセスのために入室ユーザが位置すべき場所として設定される。そして、図１６に示すように、所定位置Ｒ１と所定位置Ｒ２は、それぞれの表示装置にアクセスするユーザ同士が干渉しない程度に、一定の距離をおいて離間している。
【００５０】
このように入室用表示装置１１０と退室用表示装置１２０とが設置されることで、エントランス構造体１００においては、入口部５から内部に入る入室ユーザは、入室用表示装置１１０にアクセスするために、入口部５から所定位置Ｒ１まで移動し、その結果、入室ユーザの動線ＭＬ１が生まれることになる。一方で、入口部６から内部に入る退室ユーザは、退室用表示装置１２０にアクセスするために、入口部６から所定位置Ｒ２まで移動し、その結果、退室ユーザの動線ＭＬ２が生まれることになる。そして、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室することになる。
【００５１】
このように、図１６に示すエントランス構造体においては、入室用ユーザのユーザ空間３００への入室のための動線と退室ユーザのユーザ空間３００からの退室のための動線は、入室用表示装置１１０と退室用表示装置１２０との存在により互いに交差しない状態とされ、且つ各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００５２】
＜実施例２＞
次に、本発明に係るエントランス構造体１００の第二実施例について、図１７に示すエントランス構造体１００での入室ユーザと退室ユーザの動線に着目しながら説明する。図１７は、本実施例に係るエントランス構造体１００を模式的に示す図である。このエントランス構造体１００も、上述したポール２、ビーム３、４等によって形成される。本実施例に係るエントランス構造体１００は矩形形状を有しており、その一の長辺側において外部２００側につながる入口部５が設けられ、その対向する該構造体の壁面に入室用表示装置１１０が設けられている。また、矩形形状のエントランス構造体１００の一の短辺側においてユーザ空間３００側につながる入口部６が設けられ、その対向する該構造体の壁面に退室用表示装置１２０が設けられている。そして、各表示装置の前に上記所定位置Ｒ１とＲ２が、互いに干渉しない相対位置関係となるように配置される。
【００５３】
このように入室用表示装置１１０と退室用表示装置１２０とが設置されることで生まれる、入室ユーザの動線ＭＬ１と退室ユーザの動線ＭＬ２とは、図１７に示すように互いに交差する。また、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室
することになる。この動線ＭＬ３と動線ＭＬ４とは交差しない。
【００５４】
このように、本実施例に係るエントランス構造体１００においては、動線ＭＬ１とＭＬ２は交差するものの、それ以外の動線は交差せず、また何よりも各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００５５】
＜実施例３＞
次に、本発明に係るエントランス構造体１００の第三実施例について、図１８に示すエントランス構造体１００での入室ユーザと退室ユーザの動線に着目しながら説明する。図１８は、本実施例に係るエントランス構造体１００を模式的に示す図である。このエントランス構造体１００も、上述したポール２、ビーム３、４等によって形成される。本実施例に係るエントランス構造体１００は矩形形状を有しており、その一の長辺側において外部２００側につながる入口部５が設けられ、その対向する該構造体の壁面に入室用表示装置１１０が設けられている。また、矩形形状のエントランス構造体１００の一の短辺側においてユーザ空間３００側につながる入口部６が設けられ、それに対向し、且つ矩形形状のコーナー部に位置する壁面に退室用表示装置１２０が設けられている。尚、この退室用表示装置１２０が設けられる壁面は、矩形形状を構成する長辺のビーム３の途中に連結されたポールと、短辺のビーム４の途中に連結されたポールとで形成される平面を含むように構成される。そして、各表示装置の前に上記所定位置Ｒ１とＲ２が、互いに干渉しない相対位置関係となるように配置される。
【００５６】
このように入室用表示装置１１０と退室用表示装置１２０とが設置されることで生まれる、入室ユーザの動線ＭＬ１と退室ユーザの動線ＭＬ２とは、図１８に示すように互いに交差する。また、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室することになる。この動線ＭＬ３と動線ＭＬ４とは交差しない。
【００５７】
このように、本実施例に係るエントランス構造体１００においては、動線ＭＬ１とＭＬ２は交差するものの、それ以外の動線は交差せず、また何よりも各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００５８】
＜実施例４＞
次に、本発明に係るエントランス構造体１００の第四実施例について、図１９に示すエントランス構造体１００での入室ユーザと退室ユーザの動線に着目しながら説明する。図１９は、本実施例に係るエントランス構造体１００を模式的に示す図である。このエントランス構造体１００も、上述したポール２、ビーム３、４等によって形成される。本実施例に係るエントランス構造体１００は矩形形状を有しており、その一の長辺側において外部２００側につながる入口部５が設けられ、その対向する該構造体の壁面に入室用表示装置１１０が設けられている。また、矩形形状のエントランス構造体１００の他の長辺側においてユーザ空間３００側につながる入口部６が二箇所設けられ、それぞれの入口部６が対向する該構造体の壁面に退室用表示装置１２０が二台設けられている。そして、各表示装置の前に上記所定位置Ｒ１とＲ２（Ｒ２については二箇所）が、互いに干渉しない相対位置関係となるように配置される。
【００５９】
このように入室用表示装置１１０と退室用表示装置１２０とが設置されることで生まれ
る、入室ユーザの動線ＭＬ１と退室ユーザの動線ＭＬ２とは、図１９に示すように互いに交差しない。更に、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室することになる。この動線ＭＬ３と動線ＭＬ４とは交差しない。
【００６０】
このように、本実施例に係るエントランス構造体１００においては、各動線は互いに交差せず、且つ各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００６１】
＜実施例５＞
次に、本発明に係るエントランス構造体１００の第五実施例について、図２０に示すエントランス構造体１００での入室ユーザと退室ユーザの動線に着目しながら説明する。図２０は、本実施例に係るエントランス構造体１００を模式的に示す図である。このエントランス構造体１００も、上述したポール２、ビーム３、４等によって形成される。本実施例に係るエントランス構造体１００は矩形形状を有しており、その一の長辺側において外部２００側につながる入口部５が設けられ、その対向する該構造体の壁面に入室用表示装置１１０が設けられている。また、矩形形状のエントランス構造体１００の他の長辺側であって上記入室用表示装置の隣接する箇所に、ユーザ空間３００側につながる入口部６が一箇所設けられ、更に当該入口６の近傍であって矩形形状のエントランス構造体１００のコーナー部を挟んだ一の短辺側にもう一箇所入口部６が設けられている。そして、それぞれの入口部６が対向する該構造体の壁面に退室用表示装置１２０が二台設けられている。また、各表示装置の前に上記所定位置Ｒ１とＲ２（Ｒ２については二箇所）が、互いに干渉しない相対位置関係となるように配置される。
【００６２】
このように入室用表示装置１１０と退室用表示装置１２０とが設置されることで生まれる、入室ユーザの動線ＭＬ１と退室ユーザの一方の動線ＭＬ２とは、図１７に示すように互いに交差する。また、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室することになる。この動線ＭＬ３と動線ＭＬ４とは交差しない。
【００６３】
このように、本実施例に係るエントランス構造体１００においては、動線ＭＬ１と一方のＭＬ２は交差するものの、それ以外の動線は交差せず、また何よりも各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００６４】
＜実施例６＞
次に、本発明に係るエントランス構造体１００の第六実施例について、図２１に示すエントランス構造体１００での入室ユーザと退室ユーザの動線に着目しながら説明する。図２１は、本実施例に係るエントランス構造体１００を模式的に示す図である。このエントランス構造体１００も、上述したポール２、ビーム３、４等によって形成される。本実施例に係るエントランス構造体１００は矩形形状を有しており、その一の長辺側において外部２００側につながる入口部５が設けられ、その対向する該構造体の壁面に入室用表示装置１１０が設けられている。また、矩形形状のエントランス構造体１００の対向する短辺側にそれぞれユーザ空間３００側につながる入口部６が設けられ、それぞれの入口部６が対向する該構造体の壁面に退室用表示装置１２０が二台設けられている。このとき退室用表示装置１２０が配置できるように、二つの入口部６は図２１に示すように図中上下方向
にずれた位置に配置される。また、各表示装置の前に上記所定位置Ｒ１とＲ２（Ｒ２については二箇所）が、互いに干渉しない相対位置関係となるように配置される。
【００６５】
このように入室用表示装置１１０と退室用表示装置１２０とが設置されることで生まれる、入室ユーザの動線ＭＬ１と退室ユーザの一方の動線ＭＬ２とは、図２１に示すように互いに交差する。また、それぞれの動線に沿って移動した各ユーザが各表示装置にアクセスした後は、入室ユーザについては動線ＭＬ３に沿って入口部６を経てユーザ空間３００に入室し、退室ユーザについては動線ＭＬ４に沿って入口部５を経てユーザ空間３００から退室することになる。この動線ＭＬ３と動線ＭＬ４とは交差しない。
【００６６】
このように、本実施例に係るエントランス構造体１００においては、動線ＭＬ１と一方のＭＬ２は交差するものの、それ以外の動線は交差せず、また何よりも各表示装置にアクセスするための所定位置Ｒ１及びＲ２は互いにユーザが干渉しないように設定されるため、エントランス構造体１００という一つの空間内においてもユーザの動きを円滑に保つことができ、以てユーザの利便性を高めるのに資する。
【００６７】
＜その他の実施例＞
上述までのエントランス構造体は、直線形状のポール２、ビーム３、４を組み合わせることで形成されたが、これに代えて曲線形状のビーム等を利用することで、エントランス構造体の形状を矩形形状ではなく曲線を有する形状、例えば円筒形状等としてもよい。その場合でも、入室用表示装置と退室用表示装置を、各入口部に対して適切に配置し所定位置Ｒ１とＲ２を適切に設定することで、入室ユーザと退室ユーザの動線をコントロールし、ユーザの利便性を高めることが可能となる。
【図面の簡単な説明】
【００６８】
【図１】本発明の実施例に係るエントランス構造体の全体構成を示す第一の図である。
【図２】本発明の実施例に係るエントランス構造体の全体構成を示す第二の図である。
【図３】図１に示すエントランス構造体を構成するポールの外観図である。
【図４】図２に示すポールの断面図である。
【図５】図１に示すエントランス構造体を構成するビームの外観図である。
【図６】図４に示すビームの断面図である。
【図７】図１に示すエントランス構造体のコーナー部における一本のポールと二本のビームの連結の様子を示す図である。
【図８】図７に示す連結において使用されるジョイントの構造を示す図である。
【図９】図７に示すポールとビームの連結における断面図である。
【図１０】図１に示すエントランス構造体において、スライド連結装置を利用してビームとポールを連結する際の様子を示す図である。
【図１１】図１０に示す連結において使用されるジョイントの構造を示す図である。
【図１２】図１０に示す連結において使用されるスライド連結装置を構成する付勢部材の構造を示す図である。
【図１３】図１０に示す連結において使用されるスライド連結装置を構成するベース部材の構造を示す図である。
【図１４】図１０に示す連結において使用されるスライド連結装置の溝内で動きを説明する第一の図である。
【図１５】図１０に示す連結において使用されるスライド連結装置の溝内で動きを説明する第二の図である。
【図１６】本発明の実施例１に係るエントランス構造体における表示装置の配置と、入室ユーザと退室ユーザの動線との関係を示す図である。
【図１７】本発明の実施例２に係るエントランス構造体における表示装置の配置と、入室ユーザと退室ユーザの動線との関係を示す図である。
【図１８】本発明の実施例３に係るエントランス構造体における表示装置の配置と、入室ユーザと退室ユーザの動線との関係を示す図である。
【図１９】本発明の実施例４に係るエントランス構造体における表示装置の配置と、入室ユーザと退室ユーザの動線との関係を示す図である。
【図２０】本発明の実施例５に係るエントランス構造体における表示装置の配置と、入室ユーザと退室ユーザの動線との関係を示す図である。
【図２１】本発明の実施例６に係るエントランス構造体における表示装置の配置と、入室ユーザと退室ユーザの動線との関係を示す図である。
【符号の説明】
【００６９】
２・・・・ポール
３・・・・ビーム
４・・・・ビーム
５・・・・入口部
６・・・・入口部
７１・・・・スライド連結装置
１００・・・・エントランス構造体
１１０・・・・入室用表示装置
１２０・・・・退室用表示装置
２００・・・・外部
３００・・・・ユーザ空間
【図１】
2009167756.tif 000003
【図２】
2009167756.tif 000004
【図３】
2009167756.tif 000005
【図４】
2009167756.tif 000006
【図５】
2009167756.tif 000007
【図６】
2009167756.tif 000008
【図７】
2009167756.tif 000009
【図８】
2009167756.tif 000010
【図９】
2009167756.tif 000011
【図１０】
2009167756.tif 000012
【図１１】
2009167756.tif 000013
【図１２】
2009167756.tif 000014
【図１３】
2009167756.tif 000015
【図１４】
2009167756.tif 000016
【図１５】
2009167756.tif 000017
【図１６】
2009167756.tif 000018
【図１７】
2009167756.tif 000019
【図１８】
2009167756.tif 000020
【図１９】
2009167756.tif 000021
【図２０】
2009167756.tif 000022
【図２１】
2009167756.tif 000023